【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
遊技を行う遊技機であって、
第１制御に係る第１プログラムが記憶される第１プログラム記憶領域と、
第２制御に係る第２プログラムが記憶される第２プログラム記憶領域と、
前記第１制御において更新及び参照され、前記第２制御において更新されない第１変動データが記憶される第１変動データ記憶領域と、
前記第２制御において更新及び参照され、前記第１制御において更新されない第２変動データが記憶される第２変動データ記憶領域と、
を備え、
前記第１変動データ記憶領域及び前記第２変動データ記憶領域は、電力供給が停止しても、記憶されているデータを保持することが可能であり、
電力供給の停止条件が成立したときに、前記第１変動データ記憶領域のデータを用いて前記第１変動データが正常であるか否かを判定するための第１データを算出するとともに、前記第２変動データ記憶領域のデータを用いて前記第２変動データが正常であるか否かを判定するための第２データを算出し、
電力供給が開始されたときに、前記第１データを用いて前記第１変動データが正常か否かを判定するとともに、前記第２データを用いて前記第２変動データが正常であるか否かを判定し、いずれも正常であると判定されたときに、電力供給が停止する前の制御状態に復帰する、遊技機。
【請求項２】
遊技を行う遊技機であって、
第１制御に係る第１プログラムが記憶される第１プログラム記憶領域と、
第２制御に係る第２プログラムが記憶される第２プログラム記憶領域と、
前記第１制御において更新及び参照され、前記第２制御において更新されない第１変動データが記憶される第１変動データ記憶領域と、
前記第２制御において更新及び参照され、前記第１制御において更新されない第２変動データが記憶される第２変動データ記憶領域と、
を備え、
前記第１変動データ記憶領域及び前記第２変動データ記憶領域は、電力供給が停止しても、記憶されているデータを保持することが可能であり、
電力供給の停止条件が成立したときに、前記第１変動データ記憶領域及び前記第２変動データ記憶領域のデータを用いて前記第１変動データ及び前記第２変動データが正常であるか否かを判定するための所定データを算出し、
電力供給が開始されたときに、前記所定データを用いて前記第１変動データ及び前記第２変動データが正常か否かを判定し、正常であると判定されたときに、電力供給が停止する前の制御状態に復帰する、遊技機。
【手続補正２】
【補正対象書類名】明細書
【補正対象項目名】０００６
【補正方法】変更
【補正の内容】
【０００６】
上記課題を解決するために、本発明の請求項１の遊技機は、
遊技を行う遊技機であって、
第１制御に係る第１プログラムが記憶される第１プログラム記憶領域と、
第２制御に係る第２プログラムが記憶される第２プログラム記憶領域と、
前記第１制御において更新及び参照され、前記第２制御において更新されない第１変動データが記憶される第１変動データ記憶領域と、
前記第２制御において更新及び参照され、前記第１制御において更新されない第２変動データが記憶される第２変動データ記憶領域と、
を備え、
前記第１変動データ記憶領域及び前記第２変動データ記憶領域は、電力供給が停止しても、記憶されているデータを保持することが可能であり、
電力供給の停止条件が成立したときに、前記第１変動データ記憶領域のデータを用いて前記第１変動データが正常であるか否かを判定するための第１データを算出するとともに、前記第２変動データ記憶領域のデータを用いて前記第２変動データが正常であるか否かを判定するための第２データを算出し、
電力供給が開始されたときに、前記第１データを用いて前記第１変動データが正常か否かを判定するとともに、前記第２データを用いて前記第２変動データが正常であるか否かを判定し、いずれも正常であると判定されたときに、電力供給が停止する前の制御状態に復帰する
ことを特徴としている。
本発明の請求項２の遊技機は、
遊技を行う遊技機であって、
第１制御に係る第１プログラムが記憶される第１プログラム記憶領域と、
第２制御に係る第２プログラムが記憶される第２プログラム記憶領域と、
前記第１制御において更新及び参照され、前記第２制御において更新されない第１変動データが記憶される第１変動データ記憶領域と、
前記第２制御において更新及び参照され、前記第１制御において更新されない第２変動データが記憶される第２変動データ記憶領域と、
を備え、
前記第１変動データ記憶領域及び前記第２変動データ記憶領域は、電力供給が停止しても、記憶されているデータを保持することが可能であり、
電力供給の停止条件が成立したときに、前記第１変動データ記憶領域及び前記第２変動データ記憶領域のデータを用いて前記第１変動データ及び前記第２変動データが正常であるか否かを判定するための所定データを算出し、
電力供給が開始されたときに、前記所定データを用いて前記第１変動データ及び前記第２変動データが正常か否かを判定し、正常であると判定されたときに、電力供給が停止する前の制御状態に復帰する
ことを特徴としている。
本発明の手段１の遊技機は、
遊技を行う遊技機（スロットマシン１）において、
遊技の進行に係わる遊技プログラム（遊技プログラム）が記憶される遊技プログラム記憶領域（遊技プログラム領域）と、
前記遊技プログラムが参照する遊技用固定データ（遊技データ）が読み出し可能に記憶される遊技用固定データ記憶領域（遊技データ領域）と、
前記遊技プログラムが参照する遊技用変動データ（遊技プログラムのワークデータ）が読み出し及び書き込み可能に記憶される遊技用変動データ記憶領域（遊技ＲＡＭ領域）と、
前記遊技プログラムによって呼び出されるプログラムであり、遊技の進行に係わらない非遊技プログラム（非遊技プログラム）が記憶される非遊技プログラム記憶領域（非遊技プログラム領域）と、
前記非遊技プログラムが参照する非遊技用固定データ（非遊技データ）が読み出し可能に記憶される非遊技用固定データ記憶領域（非遊技データ領域）と、
前記非遊技プログラムが参照する非遊技用変動データ（非遊技プログラムのワークデータ）が読み出し及び書き込み可能に記憶される非遊技用変動データ記憶領域（非遊技ＲＡＭ領域）と、
前記遊技プログラム及び前記非遊技プログラムを実行するプログラム実行手段（ＣＰＵ４１ａ）と、
を備え、
前記遊技用変動データ記憶領域（遊技ＲＡＭ領域）及び非遊技用変動データ記憶領域（非遊技ＲＡＭ領域）は、電力供給が停止しても記憶されているデータを保持することが可能であり、
前記プログラム実行手段は、
電力供給の停止条件が成立したときに前記遊技用変動データ記憶領域（遊技ＲＡＭ領域）のデータを用いて前記遊技用変動データ（遊技プログラムのワークデータ）が正常か否かを判定するための第１データ（パリティ調整用データ１）を算出する第１データ算出処理と、前記非遊技用変動データ記憶領域（非遊技ＲＡＭ領域）のデータを用いて前記非遊技用変動データ（非遊技プログラムのワークデータ）が正常か否かを判定するための第２データ（パリティ調整用データ２）を算出する第２データ算出処理と、前記第１データ及び前記第２データを設定するデータ設定処理（パリティ調整用データ１を遊技ＲＡＭ領域に設定し、パリティ調整用データ２を非遊技ＲＡＭ領域２に設定する処理）と、を行い、
電力供給が開始されたときに前記第１データを用いて前記遊技用変動データが正常か否かを判定する第１判定処理（ＲＡＭパリティ１が０か否かの判定）と、前記第２データを用いて前記非遊技用変動データが正常か否かを判定する第２判定処理（ＲＡＭパリティ２が０か否かの判定）と、前記第１判定処理において前記遊技用変動データ（遊技プログラムのワークデータ）が正常であると判定され、前記第２判定処理において前記非遊技用変動データ（非遊技プログラムのワークデータ）が正常であると判定されたときに電力供給が停止する前の制御状態に復帰させる復帰処理と、を行う
ことを特徴としている。
この特徴によれば、遊技の進行に係わる遊技プログラムが記憶される遊技プログラム記憶領域と、遊技プログラムが参照する遊技用固定データが読み出し可能に記憶される遊技用固定データ記憶領域と、遊技プログラムが参照する遊技用変動データが読み出し及び書き込み可能に記憶される遊技用変動データ記憶領域と、遊技プログラムによって呼び出されるプログラムであり、遊技の進行に係わらない非遊技プログラムが記憶される非遊技プログラム記憶領域と、非遊技プログラムが参照する非遊技用固定データが読み出し可能に記憶される非遊技用固定データ記憶領域と、非遊技プログラムが参照する非遊技用変動データが読み出し及び書き込み可能に記憶される非遊技用変動データ記憶領域と、がそれぞれ別個に割り当てられているため、遊技プログラム、遊技用固定データ及び遊技用変動データと、非遊技プログラム、非遊技用固定データ及び非遊技用変動データと、を記憶領域の違いに応じて容易に特定することができる。
また、電力供給の停止条件が成立したときにデータが正常か否かを判定するためのデータを算出する処理、及び電力供給が開始されたときにデータが正常か否かを判定する処理を遊技用変動データ記憶領域、非遊技用変動データ記憶領域に分けて行うため、これらの処理を設計するうえで必要なデータの記憶領域を容易に特定することができる。